(57)【特許請求の範囲】
【請求項１】
天面部とその外周に一体に連設された筒部を備え、缶の頂部に嵌合、取り付け可能なキャップ本体と、該キャップ本体の筒部下端縁に引き裂き可能な引き裂き部を介して連設され、下方に向かって小径となる形状で且つ下端縁を缶の胴部外面に密着させて取り付け可能なピルファプルーフバンドであって、円周の一部領域に破断可能な弱部を備えたピルファプルーフバンドと、前記ピルファプルーフバンドの弱部の近傍に一端を連結し、該弱部をはさんだ反対側の領域に沿って延びるように形成されたつまみ部を備え、該つまみ部を、前記キャップ本体の筒部の最外周面と同一面上に又はそれよりも内側に位置するように形成すると共にそのつまみ部の上端縁の少なくとも一部領域を前記筒部に破断可能な連結部を介して連結しており、更に、前記つまみ部を、その下端縁及び先端縁と前記ピルファプルーフバンドとの間に隙間が形成される構成としており、更に、前記ピルファプルーフバンドの、前記つまみ部の上端領域に重なる領域に貫通穴を形成していることを特徴とする缶用オーバーキャップ。
【請求項２】
前記キャップ本体の筒部外周面の、前記つまみ部の少なくとも先端を含む領域の上方に凹部を形成し、前記つまみ部の上端縁の、前記凹部に面する領域に、前記つまみ部を前記筒部に連結する破断可能な細い線材状の連結部を設けていることを特徴とする請求項１記載の缶用オーバーキャップ。
【発明の詳細な説明】
【技術分野】
【０００１】
本発明は、例えば、粉ミルクなどの缶に使用する缶用オーバーキャップに関する。
【背景技術】
【０００２】
従来より、粉ミルクなどを収容する金属製の缶が使用されており、その缶の頂部には、開封後の缶を再閉鎖するため及び流通段階での不正開封を防止するため、合成樹脂製のオーバーキャップを取り付けることが行われている。このオーバーキャップは、天面部とその外周に一体に連設された筒部を備え、缶の頂部に嵌合、取り付け可能なキャップ本体と、該キャップ本体の筒部下端縁に引き裂き可能な引き裂き部を介して連設され、下端縁を缶の胴部外面に密着させて取り付け可能なピルファプルーフバンドと、そのピルファプルーフバンドをキャップ本体から引き裂く際に使用するつまみ部を備えており、缶の開封の際には、つまみ部をつかんで引っ張り、ピルファプルーフバンドの円周方向の一部領域に形成されている弱部を破断させ、次いでキャップ本体との間の引き裂き部を引き裂いて行くことで、ピルファプルーフバンドをキャップ本体から除去し、その後、キャップ本体を缶から外し、缶の天面部を開封するという操作を行っていた。
【０００３】
この種のオーバーキャップにおいて、ピルファプルーフバンドの引き裂きに用いるつまみ部としては、ピルファプルーフバンドの一部をつまみ部としたもの（例えば、特開２０００−２５８０３号公報参照）、ピルファプルーフバンドから突出するように形成したもの（例えば、実用新案登録第３０２８２９２号公報参照）、ピルファプルーフバンドから突出するように形成すると共に、キャップ本体の筒部に形成した凹所に入り込むように上方に立ち上げたもの（例えば、特開２００１−３４１７６２号公報参照）などがある。しかしながら、これらのつまみ部にはそれぞれ問題があった。すなわち、ピルファプルーフバンドの一部をつまみ部としたものは、つまみ部をつかみ難い。ピルファプルーフバンドから突出するように形成したものは、つまみ部がキャップ本体の筒部よりも外側に出っ張って邪魔になり、流通段階などで、不用意につまみ部に手が触れたり、物がぶつかったりしてつまみ部を変形させたり、それに連結されたピルファプルーフバンドを破断したりする恐れがあった。また、つまみ部を筒部の凹所に入り込むように上方に立ち上げたものは、つまみ部がキャップ本体の筒部よりも外側には出っ張っていないため、その分、手が触れたり、物がぶつかる恐れは少なくなるが、つまみ部を上方からアクセスしてつかむ構成であるため、やはり流通段階などでつまみ部に上方から不用意に手が触れたり、物がぶつかったりする可能性があり、それによってつまみ部が変形したり、それに連結されたピルファプルーフバンドが破断したりする恐れがあった。
【特許文献１】特開２０００−２５８０３号公報
【特許文献２】実用新案登録第３０２８２９２号公報
【特許文献３】特開２００１−３４１７６２号公報
【発明の開示】
【発明が解決しようとする課題】
【０００４】
本発明はかかる問題点に鑑みてなされたもので、ピルファプルーフバンドを取り外すためのつまみ部をキャップ本体の筒部よりも外側に出っ張らないようにし、且つそのつまみ部に上方から手が触れたり、物がぶつかったりしても、つまみ部の変形やピルファプルーフバンドの破断を防止しうる構造の缶用オーバーキャップを提供することを課題とする。
【課題を解決するための手段】
【０００５】
本発明は、上記課題を解決するため、天面部とその外周に一体に連設された筒部を備え、缶の頂部に嵌合、取り付け可能なキャップ本体と、該キャップ本体の筒部下端縁に引き裂き可能な引き裂き部を介して連設され、下方に向かって小径となる形状で且つ下端縁を缶の胴部外面に密着させて取り付け可能なピルファプルーフバンドであって、円周の一部領域に破断可能な弱部を備えたピルファプルーフバンドと、前記ピルファプルーフバンドの弱部の近傍に一端を連結し、該弱部をはさんだ反対側の領域に沿って延びるように形成されたつまみ部を備えた缶用オーバーキャップにおいて、前記つまみ部を、前記キャップ本体の筒部の最外周面と同一面上に又はそれよりも内側に位置するように形成すると共にそのつまみ部の上端縁の少なくとも一部領域を前記筒部に破断可能な連結部を介して連結しており、更に、前記つまみ部を、その下端縁及び先端縁と前記ピルファプルーフバンドとの間に隙間が形成される構成としたものである。なお、本明細書において、オーバーキャップや缶に関して使用する、「上方」、「下方」、「上端縁」、「下端縁」等の、上下を示す表現は、オーバーキャップ及び缶を、それぞれの天面部が上になるように置いた状態について言及するものとする。
【０００６】
更に、本発明は上記した構成に加えて、前記ピルファプルーフバンドの、前記つまみ部の上端領域に重なる領域に貫通穴を形成しておくことも構成としており、これにより、成形用の型の設計や成形操作（型抜き等）が容易となる。
【０００７】
ここで、前記キャップ本体の筒部外周面の、前記つまみ部の少なくとも先端を含む領域の上方に凹部を形成し、前記つまみ部の上端縁の、前記凹部に面する領域に、前記つまみ部を前記筒部に連結する破断可能な細い線材状の連結部を設けておくことが好ましく、これにより成形用の型の設計や成形操作（型抜き等）が容易となる。
【発明の効果】
【０００８】
上記構成の缶用オーバーキャップでは、つまみ部を、キャップ本体の筒部の最外周面と同一面上に又はそれよりも内側に位置するように形成したことでつまみ部が出っ張らず、流通段階等で不用意に手が触れたり、物がぶつかる恐れが少なくなり、しかも、そのつまみ部は上端縁の少なくとも一部領域をキャップ本体の筒部に連結部を介して連結しているため、そのつまみ部に上方から手が触れたり、物がぶつかったとしても、つまみ部が変形したり、それに連結されているピルファプルーフバンドが破断するといったトラブルを回避できる。
【発明を実施するための最良の形態】
【０００９】
以下、図面に示す本発明の好適な実施の形態を説明する。図１は本発明の好適な実施の形態に係るオーバーキャップを缶に取り付けた状態で示す概略正面図、図２はその概略平面図、図３は缶に取り付けたオーバーキャップの一部領域を示す概略断面図、図４は、缶に取り付けた状態のオーバーキャップのつまみ部及びその周辺を示す概略平面図、図５はそのつまみ部及びその周辺を示す概略正面図、図６はそのつまみ部及びその周辺を示す概略下面図、図７（ａ）、（ｂ）、（ｃ）、（ｄ）はそれぞれ、図５のＡ−Ａ矢視概略断面図、Ｂ−Ｂ矢視概略断面図、Ｃ−Ｃ矢視概略断面図、Ｄ−Ｄ矢視概略断面図である。１はオーバーキャップ、２はそのオーバーキャップ１を取り付けた缶である。
【００１０】
缶２は粉ミルク等を収容するもので、金属製の胴部３と、巻締部４によって胴部上端に固定された金属製の天面部５と、その天面部５に形成された開口を閉じる蓋材６等を備えている。オーバーキャップ１はポリエチレン、ポリプロピレン等の合成樹脂によって一体構造に形成されたものであり、天面部８ａとその外周に一体に連設された筒部８ｂを備え、缶の頂部の巻締部４に嵌合、取り付け可能なキャップ本体８と、該キャップ本体８の筒部８ｂの下端縁に引き裂き可能な引き裂き部９を介して連設され、下端縁１０ａを缶２の胴部３の外面に密着させて取り付け可能なピルファプルーフバンド１０と、そのピルファプルーフバンド１０の引き裂き時に使用するつまみ部１１等を備えている。引き裂き部９は破断可能な強度のものであれば、その構造には限定されず、図面の実施の形態では、薄肉部を用いているが、これ以外にも、ミシン目構造、１本若しくは複数本の破断可能な細い線材状の連結部を備えた構造等を用いてもよい。
【００１１】
ピルファプルーフバンド１０は、その外周面が下方に向かって小径となる形状に形成されており、この形状によりピルファプルーフバンド１０は、キャップ本体８の筒部８ｂの最外周面８ｂａ（本明細書において、最外周面とは、外周面の最大外径部分の円周面を意味し、外周面に凹部を形成した領域においても凹部が無いものとして想定した円周面を意味する）よりも内側に位置することとなる。ここで、ピルファプルーフバンド１０の外周面の形状は、引き裂き部９に隣接した領域では急勾配のテーパ状とし、下端縁１０ａ近傍ではそれよりも緩い勾配のテーパ状としている。この構造を採用したことで、ピルファプルーフバンド１０の下端縁１０ａを缶２の胴部３に対して安定して密着、嵌合させることができる。更に、この構造としたことで、ピルファプルーフバンド１０の下端縁１０ａの近傍の領域がキャップ本体８の筒部８ｂの最外周面８ｂａよりも大きく内側に離れて位置することとなり、図７（ｂ）から良く分かるように、つまみ部１１から大きく内側に離れ、つまみ部１１との間に大きい隙間１６を形成でき、つまみ部１１を下側からつかみ易くなるという利点も得られる。なお、ピルファプルーフバンド１０の外周面の形状は、この実施の形態に示すように２段に勾配を異ならせたテーパ状に限らず、全体を同一勾配としたテーパ状でもよいし、３段以上に勾配を異ならせたテーパ状でもよく、更には、下方に向かって小径となる湾曲した形状でもよい。
【００１２】
図４〜図７において、ピルファプルーフバンド１０は、円周の一部領域に破断可能な弱部１３を備えている。この弱部１３も、引き裂き部９と同様に、破断可能な強度のものであれば、その構造には限定されず、この実施の形態では薄肉部を用いているが、この他にも、ミシン目構造、１本若しくは複数本の破断可能な細い線材状の連結部を備えた構造等を用いることができる。つまみ部１１は、その一端（図面で右端）１１ａをピルファプルーフバンド１０の弱部１３の近傍に連結すると共に、ピルファプルーフバンド１０の弱部１３をはさんだ反対側の領域に沿って延びるように形成されている。更に、このつまみ部１１は、その外面１１ｂが筒部８ｂの最外周面８ｂａと同一面上に位置するように形成されており、このため、つまみ部１１がキャップ本体８の筒部８ｂの最外周面８ｂａから外側に出っ張らず、流通段階などで邪魔になるとか、外部の物がぶつかってトラブルを起こすということが回避されている。なお、つまみ部１１は、その外面１１ｂが筒部８ｂの最外周面８ｂａと同一面上に位置するように形成する場合に限らず、それよりも半径方向の内側に位置するように形成してもよい。つまみ部１１を、その内側に位置するピルファプルーフバンド１０に干渉しないように成形することができるよう、ピルファプルーフバンド１０の、つまみ部１１の上端領域に重なる領域には貫通穴１５が形成されている。この貫通穴１５はつまみ部１１の先端（ピルファプルーフバンド１０に連結している一端１１ａとは反対側の端部）を越えて延びるように形成されている。
【００１３】
つまみ部１１の上端縁１１ｃは、一部領域を破断可能な連結部１７、１８を介してキャップ本体８の筒部８ｂに連結されているが、その他の領域はキャップ本体８やピルファプルーフバンド１０には連結されていない。すなわち、上端縁１１ｃの、先端領域を含む大部分の領域１１ｃａは、２箇所に設けた破断可能な連結部１７を除いてフリーな状態となっている。この領域１１ｃａ内に設けた連結部１７はきわめて容易に破断可能な細い線材状のものである。オーバーキャップ１を射出成形によって製造する際に、このフリーとなった領域１１ｃａ及びその中の連結部１７を形成し且つ容易に型抜きすることを可能とするため、つまみ部１１の上端縁１１ｃの領域１１ｃａの上方を含む領域に位置するキャップ本体８の筒部８ｂの外周面には凹部２０が形成されている。つまみ部１１の上端縁１１ｃの領域１１ｃａよりも図５で右側に設けた連結部１８は連続した薄肉部で形成されている。ここで、つまみ部１１の上端縁１１ｃの先端領域を含む大部分の領域１１ｃａをフリーな状態とし、容易に破断可能な連結部１７で連結する構成としたのは、オーバーキャップ１の開封に際して、つまみ部１１をつまんで引き起こす際に連結部１７が簡単に破断し、つまみ部１１を容易に引き起こすことができるようにするためである。つまみ部１１の引き起し作業を容易とするには、領域１１ｃａの長さを極力長くしておくことが好ましいが、領域１１ｃａを長くすると、それに応じて凹部２０の長さも長くなり、オーバーキャップ１の取扱い時（オーバーキャップ１の製造時、缶への取り付け時、缶に取り付けた状態で流通する時など）に、つまみ部１１に不用意に手が触れたり、他のものがぶつかる恐れが増し、つまみ部１１を変形させたり、破断させたりする恐れが増大する。これらを考慮してつまみ部１１の上端縁１１ｃのフリーな領域１１ｃａの長さを定めれば良く、おおよその目安としては、つまみ部１１の長さの１／２〜２／３程度の長さとすることが好ましい。なお、凹部２０の右側では、つまみ部１１の上端縁１１ｃの全体を筒部８ｂに薄肉部で形成された連結部１８で連結しているが、この連結部１８を一部領域のみに設けるとか、連結部１８を省略するといった変形を加えても良い。
【００１４】
つまみ部１１の下端縁１１ｄ及び先端縁１１ｅはキャップ本体８やピルファプルーフバンド１０には連結されておらず、フリーな状態となっている。更に、図７から良く分かるように、つまみ部１１はほぼ垂直に（オーバーキャップ１の中心軸線にほぼ平行に）下方に延びるように形成されており、一方、ピルファプルーフバンド１０は下方に行くにつれて小径となるように傾斜しているため、つまみ部１１の下端縁１１ｄ及び先端縁１１ｅとピルファプルーフバンド１０との間には大きい隙間１６が形成されている。かくして、この隙間１６を利用して、つまみ部１１を下端縁１１ｄ側や先端縁１１ｅ側から容易につかむことができる。
【００１５】
上記構成のオーバーキャップ１は、図１、図３等に示すように、缶２の頂部に嵌合して取り付けられ、その状態で流通させられる。この時、ピルファプルーフバンド１０の下端縁１０ａは缶２の胴部３に密着、嵌合しており、このピルファプルーフバンド１０を破断して除去しない限り缶２から取り外せないようになっている。つまみ部１１は、キャップ本体８の筒部８ｂの最外周面８ｂａと同一面上に又はそれよりも内側に位置するように形成されているのでキャップ本体８の外側に出っ張らず、このため、つまみ部１１が邪魔にならず、且つ流通段階等で不用意に手が触れたり、物がぶつかる恐れはきわめて少ない。更に、つまみ部１１は、つまみ部の上端縁１１ｃが連結部１７、１８を介してキャップ本体８の筒部８ｂに連結されているため、流通段階などで不用意につまみ部１１に上方から手が触れたり、物がぶつかったりしても、つまみ部１１が変形したり、破損したりすることはなく、また、ピルファプルーフバンド１０が破断してしまうということもなく安全である。
【００１６】
缶２の開封に当たっては、つまみ部１１の下端縁１１ｄ側或いは先端縁１１ｅ側からアクセスしてつまみ部１１をつかみ、それを引き起こし、引っ張って行くことで、ピルファプルーフバンド１０の弱部１３を切り離し、次いでキャップ本体８との間の引き裂き部９を引き裂き、ピルファプルーフバンド１０を除去する。次いで、キャップ本体８を缶２の頂部から取り外し、缶２の天面部５の蓋材６を剥がし、開封する。缶２の内容物を必要量だけ取り出した後は、キャップ本体８を再度缶２の頂部に嵌合、取り付けることで、缶２をキャップ本体８で再閉鎖することができる。
【００１７】
以上に本発明の好適な実施の形態を説明したが、本発明はこの実施の形態に限定されるものではなく、特許請求の範囲の記載範囲内で適宜変更可能である。
【図面の簡単な説明】
【００１８】
【図１】本発明の好適な実施の形態に係るオーバーキャップを缶に取り付けた状態で示す概略正面図
【図２】缶に取り付けた状態のオーバーキャップの概略平面図
【図３】缶に取り付けたオーバーキャップの一部領域を示す概略断面図
【図４】缶に取り付けた状態のオーバーキャップのつまみ部及びその周辺を示す概略平面図
【図５】缶に取り付けた状態のオーバーキャップのつまみ部及びその周辺を示す概略正面図
【図６】缶に取り付けた状態のオーバーキャップのつまみ部及びその周辺を示す概略下面図
【図７】（ａ）、（ｂ）、（ｃ）、（ｄ）はそれぞれ、図５のＡ−Ａ矢視概略断面図、Ｂ−Ｂ矢視概略断面図、Ｃ−Ｃ矢視概略断面図、Ｄ−Ｄ矢視概略断面図
【符号の説明】
【００１９】
１  オーバーキャップ
２  缶
３  胴部
４  巻締部
５  天面部
６  蓋材
８  キャップ本体
８ａ  天面部
８ｂ  筒部
８ｂａ  最外周面
９  引き裂き部
１０  ピルファプルーフバンド
１１  つまみ部
１１ａ  一端
１１ｂ  外面
１１ｃ  上端縁
１１ｄ  下端縁
１１ｅ  先端縁
１３  弱部
１５  貫通穴
１６  隙間
１７、１８  連結部
２０  凹部
【図１】
0004760435.tif 000002
【図２】
0004760435.tif 000003
【図３】
0004760435.tif 000004
【図４】
0004760435.tif 000005
【図５】
0004760435.tif 000006
【図６】
0004760435.tif 000007
【図７】
0004760435.tif 000008